【手続補正書】
【提出日】平成18年4月7日(2006.4.7)
【手続補正１】
【補正対象書類名】明細書
【補正対象項目名】特許請求の範囲
【補正方法】変更
【補正の内容】
【特許請求の範囲】
【請求項１】  取り替え可能な自動車用ランプ組立品であって：
外部の空気に接する放熱部材に接続された熱伝導構造体上に取り付けられたＬＥＤ光源；
筐体または反射器に脱着可能に取り付けるための機械的カプラーであって、概略的に前記光源に面し、前記熱伝導構造体を保持するカプラー；
前記カプラーにより保持される電気コネクタ；及び、
取り替え可能なランプを形成するために、前記電気コネクタから前記ＬＥＤ光源まで拡張する電気接続部材を備えるランプ組立品。
【請求項２】  前記電気コネクタが前記電気接続部材を取り囲むために、前記熱伝導構造体に封止されている、請求項１に記載のランプ組立品。
【請求項３】  前記筐体または反射器がカプラーと結合したときに、前記ランプ組立品と前記筐体または反射器との間を封止するために、前記熱伝導構造体に隣接し、前記熱伝導構造体を囲む封止部材をさらに含む、請求項１に記載のランプ組立品。
【請求項４】  前記熱伝導構造体が前記ＬＥＤ光源用の取付け具と前記放熱部材との間に拡張する筒状の金属部分を含む、請求項１に記載のランプ組立品。
【請求項５】  前記放熱部材が外部の空気に接する金属面を含む、請求項１に記載のランプ組立品。
【請求項６】  前記熱伝導構造体が前記ＬＥＤ光源用の取付け具と前記放熱部材との間に拡張する筒状の金属部分を含み、前記放熱部材が前記ランプ組立品の外側で外部の空気に接する金属面を含む、請求項１に記載のランプ組立品。
【請求項７】  前記放熱部材が金属性のフランジを含み、前記フランジの両面の少なくとも一部が前記ランプ組立品の外側で外部の空気に接する、請求項６に記載のランプ組立品。
【請求項８】  前記カプラーが前記放熱部材を保持し、前記カプラーがベース部とラッチすることにより電気コネクタを具備し、前記ランプ組立品が前記カプラー及び前記放熱部材を通って前記電気コネクタから前記ＬＥＤ光源まで拡張する電気接続部材を備える、請求項１に記載のランプ組立品。
【請求項９】  前記カプラーが前記電気コネクタと結合するための取付け用構造を含む、請求項８に記載のランプ組立品。
【請求項１０】  前記取付け用構造が前記筐体または反射器の隣接するソケット面に対して押し付けるためのカム構造面を有する、少なくとも１つの放射方向に拡張するアームを備える、請求項９に記載のランプ組立品。
【請求項１１】  取り替え可能な自動車用ランプ組立品であって：
ａ）電気接続のための第１レセプタクルを画定する第１壁、ラッチ構造を含む第２レセプタクルを画定する第２壁、及び、第１レセプタクルから第２レセプタクルまで拡張する少なくとも１つの電気接続部材を備えるベース部；
ｂ）中央の通路を画定する内壁を有する筒状部分、前記ベース部の前記ラッチ構造にラッチされる前記筒状部分から拡張する第１アーム、及び、結合用面を有し、前記筒状部分に対して放射方向に拡張する少なくとも１つの第２アームを有するカプラー；
ｃ）軸方向の寸法を有する熱伝導筒状部分、外壁、内部の通路を画定する内壁、及び、前記筒状部分から外部に向かって拡張する熱放出部分を備えるアダプターであって、前記熱放出部分が前記カプラーの第１アームの少なくとも一部の挿入または通過を可能にするための寸法及び形状で形成された結合用通路を画定する壁を有し、前記カプラーが前記アダプターの周囲に配置され、前記カプラーの第１アームが前記結合用通路を通って拡張し、前記ベース部の第２レセプタクルで前記ベース部にラッチされ、それにより前記熱放出部分が前記カプラーと前記ベース部との間に固定されるアダプター；及び、
ｄ）前記アダプターにより保持される電気ランプであって、前記カプラーを介して前記電気接続部材と接続するために、前記アダプターから拡張する少なくとも１つの電気接続部材を備えた電気ランプを備えるランプ組立品。
【請求項１２】  前記ベース部が第２レセプタクルの内部に形成された直立状の突起部を含み、前記カプラーが前記直立状の突起部にラッチする、請求項１１に記載のランプ組立品。
【請求項１３】  前記ベース部が第２レセプタクルの内部にラッチ構造部を備え、前記カプラーの第１アームが第２レセプタクル内で前記ベース部にラッチされる、請求項１２に記載のランプ組立品。
【請求項１４】  前記ベース部と前記熱放出部分との間に圧縮性封止部材が配置されている、請求項１２に記載のランプ組立品。
【請求項１５】  前記熱放出部分が熱放出構造を備える、請求項１２に記載のランプ組立品。
【請求項１６】  前記カプラーがカム構造面を保持する差込結合部を備える、請求項１２に記載のランプ組立品。
【請求項１７】  前記アダプター及び前記熱放出部分が高い熱伝導率を有する金属材料から形成されている、請求項１２に記載のランプ組立品。
【請求項１８】  前記アダプター及び前記ランプが、互いに熱伝導可能な、隣接し、一致した面に沿って、互いに結合し、前記カプラー及び前記ランプの前記隣接した面が、前記ランプから前記フランジに達する熱伝導経路を与えるために、高い熱伝導性を有する材料から形成されている、請求項１２に記載のランプ組立品。
【請求項１９】  前記アダプター及び前記ランプが前記アダプターと前記ランプとの間の軸方向の結合を可能にするための、対応する内部の面及び外部の面を備える、請求項１２に記載のランプ組立品。
【請求項２０】  前記軸方向の結合が入れ子型結合である、請求項１９に記載のランプ組立品。
【請求項２１】  取り替え可能な自動車用ランプ組立品であって：
ａ）電気接続のための第１レセプタクルを画定する第１壁、ラッチ構造部を含む第２レセプタクルを画定する第２壁、及び、第１レセプタクルから第２レセプタクルまで拡張する少なくとも１つの電気接続部材を備えるベース部；
ｂ）中央の通路を画定する内壁、前記ベース部の前記ラッチ構造部と結合するために形成された第１ラッチ構造部、及び筐体または反射器と脱着可能に結合するために形成された第２ラッチ構造部を備えるカプラー；
ｃ）軸方向の寸法を有する筒状部分、外壁、内部の通路を画定する内壁、及び前記筒状部分から放射方向に拡張するフランジ部分を備えたアダプターであって、前記筒状部分及び前記フランジ部分が高い熱伝導率を有する材料から形成されており、前記筒状部分及び前記フランジ部分が互いに十分な熱伝導が可能な状態で接触しており、前記フランジ部分が結合用通路を画定する壁を有し、前記結合用通路が前記ベース部の前記ラッチ構造部と前記カプラーの第１ラッチ構造部との間の機械的接続を可能にするような寸法及び形状で形成されており、前記カプラーが前記アダプターの周囲に配置されており、前記ベース部の前記ラッチ構造部が前記カプラーの第１ラッチ構造部にラッチされ、それにより前記フランジ部分が前記カプラーと前記ベース部との間に固定されるアダプター；
ｄ）前記ベース部と前記フランジ部分との間に配置された圧縮性封止部材；及び、
ｅ）前記アダプターにより保持され、第２レセプタクルの前記電気接続部材に接続するために、前記アダプターの前記内部通路及び前記カプラーの内部通路を通って拡張する少なくとも１つの電気接続部材を備える電気ランプであって、前記アダプター及び前記ランプが互いに結合しており、前記アダプター及び前記ランプが、前記アダプターと前記ランプとの間の結合及び、それらの間の十分な熱伝導を与えることを可能にする、対応する、隣接かつ一致した面を備え、前記カプラー及び前記ランプの前記隣接した面が高い熱伝導率を有する材料から形成されており、それにより前記ランプから前記フランジへの熱伝導経路を与える電気ランプであって：
ｆ）前記ランプがランプ本体部及び１つまたは複数のＬＥＤを備え、前記１つまたは複数のＬＥＤが、動作中に前記１つまたは複数のＬＥＤからの熱を前記ランプ本体部に伝導させるように前記ランプ本体部に取り付けられている前記電気ランプを備えるランプ組立品。